(57)【要約】【課題】  配管工事の設備を不要にし、高品質のプリントをユーザに戻しながら、生成される液体の量を最小化する独立形フォトフィニッシング装置を提供する。【解決手段】  この装置は、顧客が提供するディジタルレコードから顧客注文情報を得る顧客注文データ入力システムと、顧客注文入力情報に応じて顧客からの支払いを受け取る支払い機構であって、顧客からの顧客特定情報を読み取るように適合されているものと、複数のデジタル画像ソースからデジタルレコードを受け取るように適合された入力ポートと、プリントをする前に画像をプレビューするように適合されているプレビュー部と、顧客により供給されたディジタルレコードを用いて画像を乾式プリントして、少なくとも１つの画像の少なくとも１つのプリントのハードコピーを得る、プリント部と、その少なくとも１つのプリントを顧客にデリバリするデリバリ部とを備える。【選択図】      図２
2004302489.tif 000002
【特許請求の範囲】
【請求項１】
顧客により提供されたディジタルレコードから画像のプリントに関する顧客注文情報を得るための顧客注文データ入力システムと、
顧客により提供された顧客注文入力情報に応答して顧客からの支払いを受け取る支払い機構であって、該支払い機構は前記顧客により提供された顧客特定情報を読み取るように適合されているものと、
前記システムによりプリントされるべき画像を表す顧客からの前記ディジタルレコードを受け取る入力ポートであって、該入力ポートは複数のデジタル画像ソースからデジタルレコードを受け取るように適合されたものと、
プリントをする前に画像をプレビューするように適合されているプレビュー部と、
顧客により供給されたディジタルレコードを用いて画像を乾式プリントして、少なくとも１つの画像の少なくとも１つのプリントのハードコピーを得る、プリント部と、
その少なくとも１つのプリントを顧客にデリバリするデリバリ部とを備える、
独立形顧客操作式フォトフィニッシング装置。
【請求項２】
前記ディジタルレコードは、コンパクトディスク、ディジタルスキャンニング、フロッピディスク、メモリカード、モデムのいずれか一つにより供給される、請求項１記載の独立形顧客操作式フォトフィニッシング装置。
【請求項３】
前記顧客注文データ入力システムはキーボードを備えている、請求項１記載の独立形顧客操作式フォトフィニッシング装置。
【請求項４】
前記顧客注文データ入力システムはタッチに感応するスクリーンを備えている、請求項１記載の独立形顧客操作式フォトフィニッシング装置。
【請求項５】
前記支払い機構はクレジットカードリーダを備えている、請求項１記載の独立形顧客操作式フォトフィニッシング装置。
【発明の詳細な説明】
【技術分野】
【０００１】
本発明は独立形（スタンドアロン）顧客操作式フォトフィニッシング装置に関し、より特定的には、写真感光フィルムを受け取って処理し、フィルム上に現像された画像の乾いたプリントを分配するための、自動化された相互作用システムに関する。
【背景技術】
【０００２】
写真フィルムを現像する場合、多数の処理液が使用されて写真フィルム上の画像を現像し安定化する。これらの処理液はその化学成分が消費されると効果が少なくなり、放置しておくと、処理液としての作用を最終的には停止する。分配された溶液は、最終的には、排水処理をされて、後に移動して廃棄するための貯蔵タンク内に配置されるか、焼却プロセスに供される。分配された溶液は大部分が水からなる。フォトフィニッシャーは、排水路（drain)及び水供給装置を用意するか、又は大体積の使用済の写真廃棄物を適当な廃棄場所に輸送をしなければならない。現在のフォトフィニッシングシステムにおいては、フィルムのネガ処理と写真の紙処理の両方の処理を管理しなければならない。
【０００３】
写真感光材料のための完全に自動化された相互作用システムが示唆されている。米国特許第5,113,351 号は、フィルムが顧客により一旦預けられるとすべての人間による処理を不要とした、無人の自動化されたフィルム処理システムを開示している。しかしながら、使用される処理液の量を最小にする試みはなされていない。その装置は無人なので、使用される化学薬品の量を制御することは極めて困難である。処理溶液の適当な量が処理のために利用可能であることを確実化するために、過剰な量の補充液が処理のために供給され、その過剰量は単に廃棄のために送られる。しかしながら、そのようにすることは必然的に問題の廃液量を増大させる。
【０００４】
【特許文献１】特開平０７−２１９１９６号公報
【特許文献２】特開昭６１−０１８９５２号公報
【特許文献３】特開平０３−０７２３４９号公報
【特許文献４】特開平０２−１５７０９３号公報
【特許文献５】特開平０５−３４６６５２号公報
【特許文献６】特開平０６−００３７９０号公報
【特許文献７】特開平０１−２８１９９７号公報
【特許文献８】特開平０７−１２８７４７号公報
【特許文献９】特開平０７−１１０５３２号公報
【発明の開示】
【発明が解決しようとする課題】
【０００５】
本発明は配管工事の設備を必要とせず、高品質のプリントをユーザに戻しながら、生成される液体の量を最小化する独立形顧客操作式フォトフィニッシング装置を提供する。
【課題を解決するための手段】
【０００６】
本発明の１態様において、独立形顧客操作式フォトフィニッシング装置が提供される。この装置は、顧客により提供されたディジタルレコードから画像のプリントに関する顧客注文情報を得るための顧客注文データ入力システムと、顧客により提供された顧客注文入力情報に応答して顧客からの支払いを受け取る支払い機構であって、該支払い機構は顧客により提供された顧客特定情報を読み取るように適合されているものと、システムによりプリントされるべき画像を表す顧客からのディジタルレコードを受け取る入力ポートであって、入力ポートは複数のデジタル画像ソースからデジタルレコードを受け取るように適合されたものと、プリントをする前に画像をプレビューするように適合されているプレビュー部と、顧客により供給されたディジタルレコードを用いて画像を乾式プリントして、少なくとも１つの画像の少なくとも１つのプリントのハードコピーを得る、プリント部と、その少なくとも１つのプリントを顧客にデリバリするデリバリ部とを備える。
【発明の効果】
【０００７】
本発明は水の消費量を最小化し、特別な用途向きの配管工事を不要とし、排水量の生成を少なくし、リプリント、拡大、及び様々な他の画像処理サービスのための画像を取り扱うことができるようにする。このデバイスは遠隔地に配置可能で、画像のプリント用の様々な他の電子的ソースから画像データを取り込む能力を提供する。更に、湿式処理の代わりに乾式処理が用いられるので、かなりの時間量が節約され、したがって、プリントが現像のために送られてプリントを出力する時からの処理時間がより速くなる。これは顧客の待機時間を節約するのみならず、デバイスにより達成され得る処理量を実質的に改善する。
【発明を実施するための最良の形態】
【０００８】
図を参照すると、本発明により製造された自動化された独立形顧客操作式フォトフィニッシング装置１０が示されている。この装置は制御パネル１２と表示装置１４を含んでいる。制御パネル１２は出された注文に関係する顧客情報データを入力するデータ入力手段を含んでいる。図示された特定の実施例においては、データ入力手段は適当な識別されたキーをその上に有するキーボード１５を備えている。データ入力手段は所望の任意のタイプのデバイスでよいということが理解されるべきである。例えば、限定はされないが、デバイス入力手段はタッチに感応するＣＲＴスクリーン又は、顧客のフォトフィニッシングの優先順位を含み得る顧客ＩＣオーダカードを読み取るカードリーダを備えてもよい。制御パネル１２は又、顧客からの支払いを受け取る支払い機構１７を備えている。図示された特定の実施例においては、支払い機構は、支払い機構に対するクレジットカードを受け取るスロット２０を含むクレジットカードリーダである。クレジットカードは又顧客ＩＤ及び他の情報、例えば、アドレス、を提供するためにも使用され得る。支払い機構は現金支払い、又は他の受入れ可能な支払いの形態を受容するように設計されてもよい。
【０００９】
所定の１つのタイプ又は複数のタイプのフィルムカートリッジを受け取るために、カートリッジ・デリバリ・オープニング２２が設けられている。図示された特定の実施例においては、オープニング２２は、本明細書に参考として取り入れられた米国特許第4,834,306 号に開示され記載されているような、押し出し(thrust)タイプのフィルムカートリッジを受け取るように設計されている。これらの特定のタイプのフィルムカートリッジにおいては、フィルムストリップはスプールの回転によりカートリッジから押し出されるか、カートリッジに押し戻される。フィルムの後縁はスプールに分離可能に接続されている。
【００１０】
この装置及びその中の様々なコンポーネントの動作を制御するためにＣＰＵが設けられている。
表示装置１４は、図示された特定の実施例においては、適当な注文情報を入力するために顧客により使用される指示注文情報を表示するビデオ管（ＣＲＴ）である。表示装置１４は、後に記載するように様々な機能のためにも使用され得る。例えば、限定はされないが、表示装置１４は画像をプリントする前に、感光材料によって現像された画像を予め見るために、又顧客の注文の選択のためにタッチスクリーンとして使用できる。
【００１１】
カートリッジ・デリバリ・オープニング２２は、その中に配置されたフィルムカートリッジが処理ユニットに送られるようにしたものであり、その処理ユニットの中でフィルムが現像される。フィルムを処理するための考えられる処理装置の１例は、本明細書に参考のために取り込まれた、Daniel M. Pagano, Richard B. Wheeler, and Kevin J. Kleesにより１９９４年１０月２７日に出願された係属中の米国特許出願第08/330,271号「METHOD AND APPARATUS FOR PROCESSING PHOTOSENSITIVE FILM 」に記載されている。この出願は、露光されたフィルムストリップをカートリッジから分離することなくフィルムストリップを処理することができる装置を記載している。カートリッジからフィルムを分離したり取り付けたりする処理を無くすことにより、フィルムとカートリッジの間を強固に結合させることを可能にする。このタイプのフィルムカートリッジの結合は、後続する段階の画像の準備及び検索において、フィルムをカートリッジから容易に引き抜いたりカートリッジに戻したりすることを確実化するの援助する。
【００１２】
図２を参照すると、装置１０の概略図が示されている。装置１０はフィルム処理部３０を含み、その中でオープニング２２を通して配置されたフィルムが現像される。フィルム処理部３０はカートリッジ受け及び格納部（図においてはフィルム・キャニスタ・受け及び格納）３２を含み、その中でフィルムカートリッジは処理のために格納されて、個々のフィルムストリップが現像処理に供されるように整列される。処理のためにフィルムストリップをカートリッジから除去するための適当な手段が設けられている。図示された実施例においては、軽くロックされたドアを開き、カートリッジスプールを回転してフィルムストリップをカートリッジの外に押し出すことだけが要求される押し出しタイプのフィルムカートリッジが使用される。フィルムストリップは、本発明に参考のために取り込まれた、Thomas C. Merle, Dale W. Ryan, and David L. Rowdenにより１９９３年７月２７日に出願された係属中の米国特許出願第08/098,112号「A TOOL AND METHOD FOR DETACHING A TRAILING END PORTION OF A FILMSTRIP FROM AT LEAST ONE HOOK ATOP A RAMP ON A FILM SPOOL INSIDE A FILM CARTRIDGE」に記載されている方法で、スプールから分離され得るか、又は前述したPagano, Wheeler and Klees の出願に記載のようにカートリッジ上に保持される。受け及び格納部３２からのフィルムは第１の現像タンク（図２においては現像）３４に行き、次いでストップタンク（図２においてはストップ）３６に行き、そこで現像プロセスは停止し、次いで定着タンク（図２においては定着）３８に行き、そこで定着液がフィルムに加えられ、次いでフィルムは取り上げられてリンス部（図２においてはリンス）４０に行き、そこでフィルムはリンスされる。タンク３４、３６、３８、４０は従来のタイプのプロセッサにおいて典型的に見い出される。フィルムがタンク４０を離れると、フィルムはスキャナ（図２においてはＣＣＤアレイフィルム及びプリントスキャナ）４２を通過し、それによりフィルムは走査されてフィルム上に現像された画像を捕獲する。図示された特定の実施例においては、スキャナ４２はＣＣＤ（電荷結合デバイス）アレイを備え、それにより、走査されディジタル情報に変換された情報は走査された画像を表す。この情報は、本明細書で後に詳細に記載するようにプリントのためのプリント部６０に送られる。処理タンク３４、３６、３８、４０の各々からのオーバフローの処理のために処理液フィルタリングユニット４４及び処理廃棄物格納ユニット４６が設けられている。このオーバフローした廃液はタンク３４、３６、３８、４０から処理液フィルタリングユニット４４に渡されてその中で特定物質は除去される。さらに、所望であれば、廃液内に存在するかもしれない不要なイオンを除去するために、適当なイオン交換物質をユニット４４に与えてもよい。この後、廃液は処理ユニット４４から蒸留ユニット（図２においては処理液蒸留ユニット）４８に送られ、その中でそこから水が蒸留されて新鮮な水がタンク（図２においては水タンク）５０に流れ込むようにし、残りの残留物質は廃棄物格納ユニット４６に送られる。蒸留ユニット４８により生成された蒸留水はタンク５０に保持され、従来のプロセッサで典型的に行われているように処理液を再び一杯にするために再循環シ���テムにおいて使用される。オーバフローした廃液を再利用して水の流れを回復することにより、処理部が固定された水供給装置及び／又はドレインに接続される必要性を排除する。これにより、処理部への水の供給のため、又は廃棄物質をドレインに送るための配管工事ができない場所に装置１０を配置することが可能になる。廃棄物格納ユニット４６に格納された残留廃棄物は、適当なサービス技術者により除去される時迄、そこに保持される。
【００１３】
プリント部６０はディジタルイメージング電子ユニット５２を含み、その中でスキャナ４２により走査された情報はプリントのために使用される。この情報は、コンピュータ１４により与えられる予めプログラムされた命令、及びコントロールパネル１２を介して顧客により与えられた任意の命令にしたがって処理される。プリント部６０は、プリント／画像を生成するためにウエット液を必要としないドライプリンティングタイプの処理をする。これにより、再び、配管工事設備の必要性を避け、感光材料のウエット処理において典型的に見い出される残留廃棄物を無くする。適当なディジタル画像がスキャナ４２により捕獲されディジタル電子ユニット５２により適当に処理されると、光導電体６４に結像するレーザライタ５４にディジタル情報を通すことによりプリントが形成される。図示された特定の実施例におけるプリンタはカラー電子写真プリンタであり、したがって、４つのカラートナーステーション６６、６８、７０、７２がある。図示された特定の実施例においては、トナーステーション６６はシアン色トナーを転送するために用いられ；トナーステーション６８はマゼンタ色トナーを転送するために使用され；トナーステーション７０はイエロー色トナーを転送するために使用され；トナーステーション７２はブラック色のカラー画像を光導電体に転送するために使用される。ディジタル画像を書き光導電体上にライトし、その上の適当なカラー画像を利用する方法は周知であり、コダック１５５０カラーコピアにより具体化されている。画像が光導電体６４上に配置されると、静電転送ローラ７２が用いられてそこから画像を得てそれを、ペーパサプライ７３からの紙７６上に転写する。画像が紙７６上に転写されると、その紙はカッタ（図２においてはペーパカッタ）７４に送られてその中で適当なプリントが適当な長さにカットされる。
【００１４】
勿論、ディジタルイメージング電子ユニット５２は任意の所望のフォーマットに画像を処理できることが理解されるべきである。例えば、画像はトリミングされ、拡大され、色バランスをとられ、又はディジタルプリンティングにより典型的に与えられる任意の他の方法で処理されてもよい。
現像されたフィルム及びプリントは次いでデリバリ部８０に送られ、又は初期格納部（図示せず）に送られる。フィルム及びプリントが初期格納及びデリバリ部に送られると、各顧客の注文は個々に格納され、それにより顧客に任意の都合のよい時間に戻すことができる。注文を出すために最初に使用されたクレジットカード（又は注文が出された時に受け取られた顧客レシート）が、格納された顧客の注文を識別して、適当なクレジットカードの提示及び支払いがあるとそのプリント及び現像されたフィルムを顧客に引き渡すためにも使用される。もし顧客がその注文が直ちに分配されることを望む場合、そのフィルム及びプリントはその注文がパッケージされ分配される分配部（dispensing section）に直接送られる。
【００１５】
更に、この好ましい実施例においては、初期画像はフィルムにより提供される。このデバイスは、様々なソースからの画像を表すディジタル情報を受け取るように設計された電子的入力ポート（図２においては電子カメラ入力ポート）９０を提供することにより汎用的に作ることができる。例えば、電子的ポート９０は、装置がどのような追加の変形をもすることなしに、様々な異なるソースからの画像を作成することを可能にするディジタルカメラからの画像を受け取るように設計される。また、フォトＣＤリーダ５６によりフォトＣＤを読み取るようにしてもよい。
【産業上の利用可能性】
【００１６】
顧客により提供されたデジタルレコードを用いて画像を乾式プリントするスタンドアロン顧客操作式フォトフィニッシング装置に好適に適用される。
【００１７】
様々な変更及び変形が本発明の範囲から逸脱することなく可能であり、本発明は特許請求の範囲に規定されていることが理解されるべきである。
【図面の簡単な説明】
【００１８】
【図１】本発明により作られた装置の斜視図である。
【図２】図１の装置の概略図である。
【符号の説明】
【００１９】
１０    装置
１５    キーボード
１７    支払い機構
２０    スロット
２２    デリバリオープニング２２
３０    処理部
３２    格納部
３４    現像タンク
３６    停止タンク
３８    定着タンク
４２    スキャナ
４４    フィルトレーションユニット
４８    蒸留ユニット
５０    タンク
６０    プリント部
６４    光導電体
８０    デリバリ部
９０    入力ポート
【図１】
2004302489.tif 000003
【図２】
2004302489.tif 000004